(57)【要約】      （修正有）【課題】環境試料中に存在するセルロース分解細菌の菌数を測定することによって、該環境試料のセルロース分解能を評価する方法を提供する。【解決手段】本発明は、環境試料中に存在する下記（１）〜（４）の性質を有するセルロース分解細菌の菌数を測定することによって、該環境試料のセルロース分解能を評価する方法である：（１）クロストリジウム属に属する；（２）４５〜６５℃の温度領域で至適生育温度を有する；（３）セルロースの分解能を有する；且つ（４）クロストリジウム属由来の特定の１６ＳｒＲＮＡ遺伝子塩基配列に対して少なくとも９０％の相同性を持つ１６ＳｒＲＮＡ遺伝子を有し、且つ／又はクロストリジウム属由来の特定のｃｂｈＡ遺伝子塩基配列に対して少なくとも８０％の相同性を持つｃｂｈＡ遺伝子を有する。【選択図】なし【特許請求の範囲】
【請求項１】
環境試料中に存在する下記（１）〜（４）の性質を有するセルロース分解細菌の菌数を測定することによって、該環境試料のセルロース分解能を評価する方法：
（１）クロストリジウム属に属する；
（２）４５〜６５℃の温度領域で至適生育温度を有する；
（３）セルロースの分解能を有する；且つ
（４）配列番号１の塩基配列に対して少なくとも９０％の相同性を持つ１６Ｓ  ｒＤＮＡを有し、且つ／又は配列番号２の塩基配列に対して少なくとも８０％の相同性を持つｃｂｈＡ（ｃｅｌｌｏｂｉｏｈｙｄｒｏｌａｓｅ  Ａ）遺伝子を有する。
【請求項２】
配列番号３〜１２のいずれか１つの塩基配列又はそれと実質的に相同な塩基配列を含む核酸を使用して、前記環境試料から、該配列番号１又は配列番号２の塩基配列の少なくとも一部分の存在を検出することを含む、請求項１に記載の方法。
【請求項３】
環境試料に由来するセルロース分解細菌のｃｂｈＡ遺伝子を標的として、下記（Ａ）又は（Ｂ）に記載の一組の塩基配列からなるプライマー対を使用して定量的ＰＣＲ法を行い、それにより増幅された核酸の量を測定し、そして、該測定値に基づいて、該環境試料中に存在する前記一定の性質を有するセルロース分解細菌の菌数を求めることを含む、請求項１又は２に記載の方法：
（Ａ）配列番号３の塩基配列又はそれと実質的に相同な塩基配列と、配列番号４の塩基配列又はそれと実質的に相同な塩基配列；或いは
（Ｂ）配列番号５の塩基配列又はそれと実質的に相同な塩基配列と、配列番号６の塩基配列又はそれと実質的に相同な塩基配列。
【請求項４】
環境試料に由来するセルロース分解細菌の１６Ｓ  ｒＤＮＡを標的として、下記（Ｃ）又は（Ｄ）に記載の一組の塩基配列からなるプライマー対を使用して定量的ＰＣＲ法を行い、それにより増幅された核酸の量を測定し、そして、該測定値に基づいて、該環境試料中に存在する前記一定の性質を有するセルロース分解細菌の菌数を求めることを含む、請求項１又は２に記載の方法：
（Ｃ）配列番号７の塩基配列又はそれと実質的に相同な塩基配列と、配列番号８の塩基配列又はそれと実質的に相同な塩基配列；或いは
（Ｄ）配列番号９の塩基配列又はそれと実質的に相同な塩基配列と、配列番号８の塩基配列又はそれと実質的に相同な塩基配列。
【請求項５】
環境試料中に含まれるセルロース分解細菌の核酸を標的とし、配列番号１０〜１２のいずれかの塩基配列又はそれらと実質的に相同な塩基配列を有するオリゴヌクレオチドにより構成される標識プローブを使用してハイブリダイゼーションを行い、それによりハイブリッドを形成した標記プローブから得られるシグナルに基づいて、該環境試料中に存在する前記一定の性質を有するセルロース分解細菌の菌数を求めることを含む、請求項１又は２に記載の方法。
【請求項６】
前記環境試料が、セルロース分解細菌が関与する浄化作用が期待される汚泥試料である、請求項１〜５のいずれか１項に記載の方法。
【請求項７】
下記（ａ）〜（ｊ）のいずれかに記載の塩基配列を有するオリゴヌクレオチド：
（ａ）配列番号３の塩基配列若しくはそれと相補的な塩基配列、又はそれらと実質的に相同な塩基配列；
（ｂ）配列番号４の塩基配列若しくはそれと相補的な塩基配列、又はそれらと実質的に相同な塩基配列；
（ｃ）配列番号５の塩基配列若しくはそれと相補的な塩基配列、又はそれらと実質的に相同な塩基配列；
（ｄ）配列番号６の塩基配列若しくはそれと相補的な塩基配列、又はそれらと実質的に相同な塩基配列；
（ｅ）配列番号７の塩基配列若しくはそれと相補的な塩基配列、又はそれらと実質的に相同な塩基配列；
（ｆ）配列番号８の塩基配列若しくはそれと相補的な塩基配列、又はそれらと実質的に相同な塩基配列；
（ｇ）配列番号９の塩基配列若しくはそれと相補的な塩基配列、又はそれらと実質的に相同な塩基配列；
（ｈ）配列番号１０の塩基配列若しくはそれと相補的な塩基配列、又はそれらと実質的に相同な塩基配列；
（ｉ）配列番号１１の塩基配列若しくはそれと相補的な塩基配列、又はそれらと実質的に相同な塩基配列；或いは
（ｊ）配列番号１２の塩基配列若しくはそれと相補的な塩基配列、又はそれらと実質的に相同な塩基配列。
【発明の詳細な説明】
【０００１】
【発明の属する技術分野】
本発明は、環境試料のセルロース分解能の評価法、及びそれに使用できるオリゴヌクレオチドに関し、より詳しくは、メタン発酵汚泥等の環境試料から、一定の性質を有するクロストリジウム（Ｃｌｏｓｔｒｉｄｉｕｍ）属に属するセルロース分解細菌の菌数を、遺伝子工学的手法を用いて検出、定量することにより、当該環境試料が有するセルロース分解能を評価する方法等に関する。
【０００２】
【従来の技術】
微生物の生物分解を利用した各種有機廃棄物の処理・減容化方法は、下記のような有用性を有する。すなわち、生ごみ、紙ごみ、し尿・浄化槽汚泥は、我々が日常生活を営む過程で大量に発生する代表的な有機性廃棄物であるが、水分を多く含むため、従来の焼却処分では大量の化石燃料を消費すると共に、多量の二酸化炭素・ＮＯｘ・ＳＯｘ等を生成し、またダイオキシン等の有害物質の発生源ともなっている。また、焼却灰を含めた廃棄物の埋め立て処分地の確保も困難になりつつある。一方、平成１２年４月の容器包装紙リサイクル法完全施行により、これまで廃棄されていた包装紙、紙容器などの再商品化が義務づけられたが、同法の施行前から古紙の再商品率は５６％程度であり（古紙リサイクル推進検討会、「今後の古紙リサイクル向上に向けて」平成１２年）、今後更に再商品化に不向きな古紙の利用の場が求められている。従って、それらの問題を解決するには生物学的な処理が有用である。
【０００３】
特に下水余剰汚泥や畜産廃棄物の有用な生物学的処理・減容化方法として、メタン発酵技術が知られている。この技術では、嫌気的な環境条件下で複数の嫌気性細菌群の連係プレーにより、有機物をエネルギーとしてのメタンガスにまで転換することができる。またメタン発酵は、焼却・埋め立て処理されてきた有機性廃棄物の処理及びエネルギー回収技術としても有効である。
【０００４】
しかしながら、下水汚泥、生ゴミ、古紙・パルプ系の廃棄物は、生物分解を受け難い固形性有機物であるセルロースを多く含有し、そのような環境下でのメタン発酵においては、セルロースの加水分解・酸生成反応が律速となっているため、３０から４０日程度の長い処理時間を必要とし、しかもその有機物分解率（セルロースのメタンへの転換率）が易分解性の廃水などと比較してかなり低い（非特許文献１）。すなわち、メタン発酵を中心とした高効率な有機性廃棄物の処理技術を確立するためには、セルロース分解細菌をそのメタン発酵処理系内で安定的に維持及び制御することが重要であると考えられる。
【０００５】
【発明が解決しようとする課題】
しかしながら、嫌気性下でセルロースを分解することが知られる細菌は、草食動物の管腔（ルーメン）に生息する細菌や、堆や土壌、コンポスト、底泥、温泉等から分離された細菌などについての報告がなされているが、この種の細菌がメタン発酵汚泥中に存在するか否か、或いはメタン発酵汚泥中でそのようなセルロースの分解に関与するのか否かについての報告はなされていなかった。
【０００６】
そこで、本発明者等は、メタン発酵処理系等の環境浄化に有用な環境試料において重要な役割を果たすセルロース分解細菌を見出すため、セルロースを炭素源に用いた高温メタン発酵汚泥の集積培養実験を行い、その細菌相の解析と基質代謝特性の調査を行った。その結果、Ｃｌｏｓｔｒｉｄｉｕｍに属する新規のセルロース分解細菌Ｃｌｏｓｔｒｉｄｉｕｍ  ｓｐ．  ＪＣ３（以下単に「ＪＣ３菌」と記述する）がメタン発酵細菌群集内で優占化することを突き止めた（未公開特許文献１）。
【０００７】
さらに本発明者等は、メタン発酵汚泥におけるＪＣ３菌の優占化がそのような環境試料のセルロース分解能に強く関与しているとの観点から、環境試料中に存在する上記ＪＣ３菌のような優占セルロース分解細菌の存在量に関する情報に基づき、当該環境試料のセルロース分解能力を評価できると考えた。そのようなセルロース分解能力についての評価は、メタン発酵処理系におけるセルロース分解の高効率化、そのプロセスの安定化或いはプロセス立ち上げの短縮化等に向けられたプロセス管理を可能にするであろう。
【０００８】
それら評価法を確立するためには、先ず、環境試料中のＪＣ３菌及びこれと同等の性質を有するセルロース分解細菌を効率よく検出し、菌数を計測するための技術開発が必須である。
【０００９】
従来、一般的なセルロース分解細菌の計測法としては、セルロースを単一炭素源とした液体培地で希釈培養を行って計数する最確数法（Ｍｏｓｔ  Ｐｒｏｂａｂｌｙ  Ｎｕｍｂｅｒ；  ＭＰＮ（非特許文献２））が挙げられる。この方法では、計数に１ヶ月程度を要し、しかも用いる培地組成によって少なからず計数細菌が制限されるという問題があった。
【００１０】
また、環境試料のセルロース分解能の評価は、セルロースを基質とした単位時間、単位生物量あたりのセルロースの分解量を測定することによって算定できるとも考えられる。しかしながら、そのセルロース分解活性が低くて、セルロース分解量が少ない環境試料のセルロース分解能を正確に評価することは難しい。加えて、セルロース量の分析にはその操作の性質上、比較的多量の試料が必要であり、また分析操作が煩雑で時間を要するといった問題もある（非特許文献３）。
【００１１】
メタン発酵汚泥等の嫌気的環境下では、生育可能な細菌種がある程度限定されるが、有機物の分解が複数種の微生物群による連係プレーによってなされており、また処理対象の廃水、廃棄物には多種多様な有機物が含まれるため、少数多様の微生物群が存在しており、このような情況下では、環境試料中のセルロース量等を測定するだけでセルロース分解細菌の菌数を正確に知ることはできない。このような細菌群を正確に把握するには、上記のような従来の菌数計測法では困難である。
【００１２】
他方、分子系統学的検出に関する最新の技術動向によれば、細菌遺伝子を標的とした検出定量方法、例えばポリメラーゼ連鎖反応（以下「ＰＣＲ法」と記述する）、ｉｎ  ｓｉｔｕ（生体内原位置）ハイブリダイゼーション法（以下「ＦＩＳＨ法」とも記述する）等を利用する技術が開発されてきている（非特許文献４）。
【００１３】
しかしながら、試料中の細菌遺伝子を標的とした検出法によれば、直ちに特定のセルロース分解細菌群について属や種レベルの分類を反映させた検出が可能となる訳ではない。すなわち従来においては、メタン発酵汚泥等のような複雑な微生物群構造を対象として、本発明において着目される新規セルロース分解細菌群を特異的に検出するための分子系統学的又は遺伝子工学的側面からの検討はなされていない。
【００１４】
上述の課題及びそれらの背景技術に鑑み、本発明は、環境試料に存在する一定の性質を有するセルロース分解細菌の菌数をより正確に把握するための評価法を提供することを目的とし、より具体的には、その菌数に関する情報をメタン発酵処理系等の浄化処理環境の状態の診断、制御あるいは管理に有用な基礎データとして利用する評価方法等を提供する。
【００１５】
本発明の更なる目的は、一定の性質を有するセルロース分解細菌の分子系統学的側面に着目し、遺伝子工学的手法を用いることによって迅速に、特異的に且つ／又は一定の性質を有するセルロース分解細菌を定量的に検出できる方法、特に、環境試料中のセルロース分解細菌数を定量的に検出することにより、試料のセルロース分解能力を評価する方法を提供する。
【００１６】
【非特許文献１】
Ｄｅ  Ｂａｅｒｅ  Ｌ．，  Ａｎａｅｒｏｂｉｃ  ｄｉｇｅｓｔｉｏｎ  ｏｆ  ｓｏｌｉｄ  ｗａｓｔｅ：  ｓｔａｔｅ−ｏｆ−ｔｈｅ−ａｒｔ，  Ｗａｔｅｒ  Ｓｃｉ．  Ｔｅｃｈｎｏｌ．  ２０００；４１（３）：２８３−９０
【非特許文献２】
団法人日本下水道協会、下水試験方法、１９９７；上巻７０１−７１０
【非特許文献３】
岩堀ら、生下水・汚泥からのセルロース定量に関する実験的検討、下水道協会誌  ２０００；３７（４５１）：１２１−１２８
【非特許文献４】
Ａｍａｎｎ，  Ｒ．，  Ｌｕｄｗｉｇ，  Ｗ．，  Ｓｃｈｌｅｉｆｅｒ，  Ｋ．，  １９９５，  Ｐｈｙｌｏｇｅｎｅｔｉｃ  ｉｄｅｎｔｉｆｉｃａｔｉｏｎ  ａｎｄ  ｉｎ  ｓｉｔｕ  ｄｅｔｅｃｔｉｏｎ  ｏｆ  ｉｎｄｉｖｉｄｕａｌ  ｍｉｃｒｏｂｉａｌ  ｃｅｌｌｓ  ｗｉｔｈｏｕｔ  ｃｕｌｔｉｖａｔｉｏｎ，  Ｍｉｃｒｏｂｉｏｌｏｇｉｃａｌ  ｒｅｖｉｅｗｓ，  ｖｏｌ．５９，  Ｎｏ．１，  ｐ１４３−１６９
【未公開特許文献１】
特願２００２−２７９２３３（珠坪一晃，セルロース分解能を有する新菌株、その利用法および増殖促進法，寄託菌株Ｃｌｏｓｔｒｉｄｉｕｍ  ｓｐ．  Ｓｔｒａｉｎ  ＪＣ３）
【００１７】
【課題を解決するための手段】
発明者等は、上記課題を解決するために鋭意研究を重ねた結果、高温嫌気的環境下で優占化するＪＣ３菌の発見に続き、このＪＣ３菌の一定の特徴に着目することでセルロース分解能を効率的に評価できることを見出し、本発明を完成させた。
【００１８】
より詳しくは、ＪＣ３菌の菌学的性質とその系統学的側面に着目し、この種の細菌が安定的に保持している特定遺伝子を標的とすることによって、環境試料中の優占セルロース分解細菌の菌数を効率的、定量的且つ／又は特異的に測定できる菌数測定法、及びそのためのオリゴヌクレオチドプライマー等が見出された。
【００１９】
すなわち、本発明は、環境試料中に存在する下記（１）〜（４）の性質を有するセルロース分解細菌の菌数を測定することによって、該環境試料のセルロース分解能を評価する方法を提供する：
（１）クロストリジウム属に属する；
（２）４５〜６５℃の温度領域で至適生育温度を有する；
（３）セルロースの分解能を有する；且つ
（４）配列番号１の塩基配列に対して少なくとも９０％の相同性を持つ１６Ｓ  ｒＲＮＡ遺伝子を有し、且つ／又は配列番号２の塩基配列に対して少なくとも８０％の相同性を持つｃｂｈＡ遺伝子を有する。
【００２０】
本発明の評価法は、配列番号３〜１２のいずれか１つの塩基配列又はそれと実質的に相同な塩基配列を含む核酸であって、配列番号１又は配列番号２の塩基配列の少なくとも一部に対しハイブリダイズすることができる核酸を使用して、前記環境試料から、該配列番号１又は配列番号２の塩基配列の少なくとも一部分の存在を検出することを含むことが好ましい。
【００２１】
本発明の好ましい第１の態様の評価法は、環境試料に由来するセルロース分解細菌のｃｂｈＡ遺伝子を標的として、下記（Ａ）又は（Ｂ）に記載の一組の塩基配列からなるプライマー対を使用して定量的ＰＣＲ法を行い、それにより増幅された核酸の量を測定し、そして、該測定値に基づいて、該環境試料中に存在する前記一定の性質を有するセルロース分解細菌の菌数を求めることを含む、請求項１又は２に記載の方法である：
（Ａ）配列番号３の塩基配列又はそれと実質的に相同な塩基配列と、配列番号４の塩基配列又はそれと実質的に相同な塩基配列；或いは
（Ｂ）配列番号５の塩基配列又はそれと実質的に相同な塩基配列と、配列番号６の塩基配列又はそれと実質的に相同な塩基配列。
【００２２】
本発明の好ましい第２の態様の評価法は、環境試料に由来するセルロース分解細菌の１６Ｓ  ｒＤＮＡを標的として、下記（Ｃ）又は（Ｄ）に記載の一組の塩基配列からなるプライマー対を使用して定量的ＰＣＲ法を行い、それにより増幅された核酸の量を測定し、そして、該測定値に基づいて、該環境試料中に存在する前記一定の性質を有するセルロース分解細菌の菌数を求めることを含む、請求項１又は２に記載の方法である：
（Ｃ）配列番号７の塩基配列又はそれと実質的に相同な塩基配列と、配列番号８の塩基配列又はそれと実質的に相同な塩基配列；或いは
（Ｄ）配列番号９の塩基配列又はそれと実質的に相同な塩基配列と、配列番号８の塩基配列又はそれと実質的に相同な塩基配列。
【００２３】
本発明の好ましい第３の態様の評価法は、環境試料中に含まれるセルロース分解細菌の１６Ｓ  ｒＲＮＡ又はｒＤＮＡを標的とし、配列番号１０〜１２のいずれかの塩基配列又はそれらと実質的に相同な塩基配列を有するオリゴヌクレオチドにより構成される標識プローブを使用してハイブリダイゼーションを行い、それによりハイブリッドを形成した標記プローブから得られるシグナルに基づいて、該環境試料中に存在する前記一定の性質を有するセルロース分解細菌の菌数を求めることを含む方法である。
【００２４】
本評価法が適用される好適な環境試料は、セルロース分解細菌が関与する浄化作用が期待される汚泥試料である。
また本発明は、下記（ａ）〜（ｅ）のいずれかに記載の塩基配列を有するオリゴヌクレオチドを提供する：
（ａ）配列番号３の塩基配列若しくはそれと相補的な塩基配列、又はそれらと実質的に相同な塩基配列；
（ｂ）配列番号４の塩基配列若しくはそれと相補的な塩基配列、又はそれらと実質的に相同な塩基配列；
（ｃ）配列番号５の塩基配列若しくはそれと相補的な塩基配列、又はそれらと実質的に相同な塩基配列；
（ｄ）配列番号６の塩基配列若しくはそれと相補的な塩基配列、又はそれらと実質的に相同な塩基配列；
（ｅ）配列番号７の塩基配列若しくはそれと相補的な塩基配列、又はそれらと実質的に相同な塩基配列；
（ｆ）配列番号８の塩基配列若しくはそれと相補的な塩基配列、又はそれらと実質的に相同な塩基配列；
（ｇ）配列番号９の塩基配列若しくはそれと相補的な塩基配列、又はそれらと実質的に相同な塩基配列；
（ｈ）配列番号１０の塩基配列若しくはそれと相補的な塩基配列、又はそれらと実質的に相同な塩基配列；
（ｉ）配列番号１１の塩基配列若しくはそれと相補的な塩基配列、又はそれらと実質的に相同な塩基配列；又は
（ｊ）配列番号１２の塩基配列若しくはそれと相補的な塩基配列、又はそれらと実質的に相同な塩基配列。
【００２５】
【発明の実施の形態】
以下、本発明の実施形態を詳細に説明する。
【００２６】
本発明による環境試料のセルロース分解能についての評価法
本発明者等の検討によれば、環境試料のセルロース分解能は、メタン発酵活性汚泥中で優占化する寄託菌株ＪＣ３（受託番号：ＦＥＲＭ  Ｐ−１９０２６）の当該環境試料中の存在量（典型的には、細菌の細胞数である）に相関する。
【００２７】
概して、上記寄託菌株ＪＣ３は、クロストリジウム属に属し；４５〜６５℃の温度領域で至適生育温度を有し；且つセルロースの分解能を有する細菌であって、その１６Ｓ  ｒＲＮＡ遺伝子（配列番号１）とｃｂｈＡ遺伝子（セルロース分解酵素をコードする遺伝子（配列番号２））についての類縁細菌との比較による遺伝子分子系統学的によって特徴づけられる新種のセルロース分解細菌である。
【００２８】
その分子系統学的側面の更なる検討によれば、寄託菌株ＪＣ３は、最も近縁と見られる公知株Ｃｌｏｓｔｒｉｄｉｕｍ  ｔｈｅｒｍｏｃｅｌｌｕｍ（ＤＳＭ１２３７もしくはＦ７株）との間では１６Ｓ  ｒＤＮＡについて８８％（ＤＳＭ１２３７）の相同性、またｃｂｈＡ遺伝子をコードするＤＮＡについて７９％（Ｆ７系統）の相同性しか示さないので、系統学的に明らかに他の細菌とは異なったグループを代表する。その反面、当該寄託菌株ＪＣ３に代表される一群の菌株は、それら同種類縁の菌株との間で１６Ｓ  ｒＤＮＡについて概ね９０％以内の相同性を持ち、ｃｂｈＡ遺伝子をコードするＤＮＡについても概ね８０％以内の相同性を持つグループを構成すると言える。
【００２９】
上記の観点に基づき、本明細書で定義されるＪＣ３菌は、寄託菌株ＪＣ３及びこれと同等の性質を発揮し得る同種類縁のセルロース分解細菌を含む概念として用いている。すなわち、本評価法の検出対象とされる「ＪＣ３菌」とは、系統学的にＪＣ３菌と同じグループに属するあらゆるセルロース分解菌を含み、より具体的には、配列番号１の塩基配列と９０％以上の相同性を示す１６Ｓ  ｒＤＮＡを有する嫌気性酸生成細菌、及び／又は配列番号２の塩基配列と８０％以上の相同性を示すｃｂｈＡ遺伝子を有する嫌気性酸生成細菌を包含する新規な菌株群として定義される。それらＪＣ３菌の詳細については、特願２００２−２７９２３３号にも記載されている。
【００３０】
かくして本発明の評価法は、上記のようなＪＣ３菌の一定の菌学的特徴と分子系統学的特徴とを特定することによって、環境試料からＪＣ３菌をほぼ網羅的に且つほぼ特異的に検出するものである。
【００３１】
本発明の評価法の好ましい一態様では、嫌気的条件下のメタン発酵系環境浄化槽から採取された一定の環境試料から、次の（１）〜（４）の性質を有するセルロース分解細菌の菌数を定量的に検出し、その定量値をメタン発酵系環境試料のセルロース分解能に対応する基礎データとする。
（１）クロストリジウム属に属する；
（２）４５〜６５℃の温度領域で至適生育温度を有する；
（３）セルロースの分解能を有する；且つ
（４）配列番号１の塩基配列に対して少なくとも９０％の相同性を持つ１６Ｓ  ｒＤＮＡを有し、且つ／又は配列番号２の塩基配列に対して少なくとも８０％の相同性を持つｃｂｈＡ遺伝子を有する。
【００３２】
本評価法は、上記（４）のような特定遺伝子の分子系統学的特徴を要件とするので、種複雑な微生物群構造を持つ生物処理環境試料の中からでも確実且つ効率的に目的のＪＣ３菌を検出することができる。
【００３３】
上述のようにして得られた菌数定量値は、当該環境試料のセルロース分解能と相関する基礎データとして位置づけることができ、この種の基礎データは、セルロース系廃棄物処理プロセスの管理や診断に使用できる。例えば、当該処理プロセスにおけるセルロース分解の高効率化やセルロースからの糖、エタノール、乳酸、酢酸、水素等の有用物質生産等のために、処理環境中の有機物や栄養源（例えばセルロース源）について増減処置や温度制御等の必要性についての目安を与えることができる。
【００３４】
また、メタン発酵系処理のように複雑なプロセスについては、その微生物群構造の詳細は解明されておらず、その制御法も確立していないが、少なくとも本評価法によれば、この種の系に関する理想的な状態やその状態変化を示す指標データを提供できる。すなわち、当該菌数の基礎データを、その系の状態について実際に得られる他のパラメータ、例えばガス発生量等と照らして経時的に記録することができる。
【００３５】
そのような系状態と菌数データとの相関関係は、多くの場合、経験則のみに依拠するが、一般にその系の状態変化と菌数データとの間には何らかの相関関係があると見られるので、当該菌数データは系状態の評価に有用である。例えば、当該菌数の基礎データを経時的にサンプリングして監視し、その有意な変化から系のガス発生量変化を診断、予測することができ、このようにして系の理想的状態への制御或いはその悪化を避けるための処置が可能となる。
【００３６】
このように本評価法は、従来において時間と手間がかかっていた環境試料のセルロース分解能についての評価を迅速且つ簡易に達成できるだけでなく、メタン発酵汚泥等のように状態の予測や制御が容易ではない微生物利用処理プロセスの管理に役立つ。
【００３７】
遺伝子工学的手法を用いた評価法
ＪＣ３菌の遺伝子系統学的側面によれば、ＪＣ３菌に普遍的に存在し且つ保存性の高いコンセンサス配列を見出し得る遺伝子配列としては、１６Ｓ  ｒＲＮＡ遺伝子、ｃｂｈＡ遺伝子（Ｚｖｅｒｌｏｖ  Ｖ．Ｖ．，  Ｍｕｌｔｉｄｏｍａｉｎ  ｓｔｒｕｃｔｕｒｅ  ａｎｄ  ｃｅｌｌｕｌｏｓｏｍａｌ  ｌｏｃａｌｉｚａｔｉｏｎ  ｏｆ  ｔｈｅ  Ｃｌｏｓｔｒｉｄｉｕｍ  ｔｈｅｒｍｏｃｅｌｌｕｍ  ｃｅｌｌｏｂｉｏｈｙｄｒｏｌａｓｅ  ＣｂｈＡ，  Ｊ．  Ｂａｃｔｅｒｉｏｌ．  １８０（１２），３０９１−３０９９（１９９８））、及びｇｙｒＢ遺伝子等の核酸配列が挙げられる。
【００３８】
本評価法の一特徴として位置づけられる上記項目（４）において、寄託菌株ＪＣ３菌の１６Ｓ  ｒＲＮＡ遺伝子の塩基配列（配列番号１）と寄託菌株ＪＣ３のｃｂｈＡ遺伝子の塩基配列（配列番号２）に対しそれぞれ少なくとも９０％と８０％の相同性を有する核酸群が規定されるので、それら核酸群はＪＣ３菌を検出するための指標ないし標的となる。
【００３９】
従って、ＪＣ３菌を検出するためには、配列番号１の塩基配列と少なくとも９０％の相同性を有する核酸、及び／又は配列番号２の塩基配列と少なくとも８０％の相同性を有する核酸と適宜にハイブリダイズできるオリゴヌクレオチドプローブ又はプライマーを設計し、使用するとよい。具体的には、ＪＣ３菌を検出するための標的とされる核酸配列間で実質的に相同な塩基（その特異性に求められる包括的範囲を考慮して選択する）であるが、他の区別したい微生物とは異なっている塩基（その特異性に求められる排他的範囲を考慮して選択する）を基にＰＣＲプライマー等を設計する。それらプライマー又はプローブは合成オリゴヌクレオチドであってもよいし、また長鎖のプローブならば、配列番号１及び／又は配列番号２の塩基配列を有する単離核酸から調製されるｃＤＮＡプローブ等であってもよい。
【００４０】
特に好ましいオリゴヌクレオチドは、配列番号１及び／又は配列番号２の塩基配列の少なくとも一部を有する核酸の存在を検出するために、配列番号１及び／又は配列番号２の塩基配列の少なくとも一部、好ましくは少なくとも２０塩基、より好ましくは少なくとも１５塩基程度からなる部分配列と完全に相補的であるか又はそれと実質的に相補的な核酸として設計される。
【００４１】
上記のような好ましいオリゴヌクレオチドの例には、（ａ）配列番号３の塩基配列若しくはそれと相補的な塩基配列、又はそれらと実質的に相同な塩基配列；（ｂ）配列番号４の塩基配列若しくはそれと相補的な塩基配列、又はそれらと実質的に相同な塩基配列；（ｃ）配列番号５の塩基配列若しくはそれと相補的な塩基配列、又はそれらと実質的に相同な塩基配列；（ｄ）配列番号６の塩基配列若しくはそれと相補的な塩基配列、又はそれらと実質的に相同な塩基配列；（ｅ）配列番号７の塩基配列若しくはそれと相補的な塩基配列、又はそれらと実質的に相同な塩基配列；（ｆ）配列番号８の塩基配列若しくはそれと相補的な塩基配列、又はそれらと実質的に相同な塩基配列；（ｇ）配列番号９の塩基配列若しくはそれと相補的な塩基配列、又はそれらと実質的に相同な塩基配列；（ｈ）配列番号１０の塩基配列若しくはそれと相補的な塩基配列、又はそれらと実質的に相同な塩基配列；（ｉ）配列番号１１の塩基配列若しくはそれと相補的な塩基配列、又はそれらと実質的に相同な塩基配列；或いは（ｊ）配列番号１２の塩基配列若しくはそれと相補的な塩基配列、又はそれらと実質的に相同な塩基配列が挙げられる。
【００４２】
上記オリゴヌクレオチド群のうち、ＰＣＲ用プライマー対に好適なオリゴヌクレオチドの組み合わせは（ａ）と（ｂ）、（ｃ）と（ｄ）、（ｅ）と（ｆ）、及び（ｇ）と（ｆ）であり、またプローブに好適なオリゴヌクレオチドは、（ｈ）、（ｉ）、及び（ｊ）である。
【００４３】
上記のようにして、ＪＣ３菌の１６Ｓ  ｒＲＮＡ遺伝子及び／又はｃｂｈＡ遺伝子を特異的に検出するために、本明細書に開示された配列番号１〜１２の各塩基配列情報に基づいてＪＣ３菌に特徴的な塩基配列を有するオリゴヌクレオチド部分を選択するか、又は当該技術分野に関する常法ないし当業者が容易に知り得る経験則に従い、そのような特異的配列をデザインすることができる。
【００４４】
上記態様の本評価法によれば、それら有用なオリゴヌクレオチドプローブ又はプライマーを使用してＪＣ３菌由来の標的核酸の少なくとも一部分の存在を特異的に検出できるので、環境試料に存在するＪＣ３菌を迅速かつ正確に検出し、定量することができる。
【００４５】
定量的ＰＣＲ法
遺伝子工学的手法が使用される本評価法において、定量的検出が必要であれば、定量的ＰＣＲ法を使用するとよい。そのようなＰＣＲ法を使用してＪＣ３菌を検出、定量する方法としては、上述のとおりＪＣ３菌の１６Ｓ  ｒＲＮＡ遺伝子の塩基配列（典型的には配列番号１）、及び／又はＪＣ３菌のｃｂｈＡ遺伝子の核酸配列（典型的には配列番号２）の少なくとも一部を特異的に増幅できる一対のＰＣＲプライマーを設計し、使用する。
【００４６】
そのような定量的ＰＣＲ法として有用な技術は、競合ＰＣＲ法（中山広樹、細胞工学別冊バイオ実験イラストレイテッド３、秀潤社、１９９６）、Ｔａｑ  ＭａｎＰＣＲ法、ライトサイクラーを用いる方法（磯野一宏、臨床病理、４５、ｐ２１８、１９９７）等を挙げることができる。
【００４７】
定量的ＰＣＲ法の一般的手順は、次の通りである。環境試料に由来する核酸試料を鋳型としてプライマーを接触させ、一連のポリメラーゼ連鎖反応条件下で断続的な増幅反応を繰り返す。このときの増幅反応条件は、当該技術分野において技術常識ないし経験則に従って適宜設定するとよい。その結果、使用した３’側プライマーと５’側プライマーとの間の、特定の断片長の核酸領域が特異的に増幅される。増幅された核酸は、例えば、その断片長を電気泳動法によって確認したり、その断片に特異的なプローブ等を用いるなどして、それが目的核酸であることを確認できる。増幅される核酸の量は、被検試料中の菌数とほぼ相関しているので、その増幅核酸の定量値に基づいて菌数を求めることができる。競合ＰＣＲ法によれば、例えば、目的核酸と共にこれとは断片長が異なる既知濃度の核酸を増幅させる競合的増幅反応を行い、既知量の核酸の増幅度を指標にして目的核酸の量を知ることができる。
【００４８】
上記態様の本評価法に使用するのに好適なプライマー対は上述した通りであるが、それらのうち、ｃｂｈＡ遺伝子を標的としたプライマー対は（ａ）と（ｂ）又は（ｃ）と（ｄ）の組み合わせ、また１６Ｓ  ｒＲＮＡ遺伝子を標的としたプライマー対は（ｅ）と（ｆ）又は（ｇ）と（ｆ）の組み合わせである。
【００４９】
ＩＳＨ法
プローブを使用してＪＣ３菌の細胞を検出・定量する方法としては、ＦＩＳＨ法が挙げられる。
【００５０】
典型的なＦＩＳＨ法では、ＪＣ３菌に特異的な蛍光ＦＩＳＨプローブを使用し、これを環境試料と混合し、細胞内の標的核酸とＦＩＳＨプローブの結合が行われる条件下でハイブリダイゼーション（結合）を行い、蛍光顕微鏡観察下でハイブリダイズした遺伝子プローブからの蛍光シグナルが得られるかどうかによって、検出対象菌の細胞を同定し、菌数計測を行うことができる。
【００５１】
したがって、ＰＣＲ法が少量の試料からでも目的核酸を検出、定量可能な点で好都合であるのに対し、ＦＩＳＨ法は、検出菌を蛍光標識等によって直接的に確認でき、検出対象菌が全細菌の数％以上の割合で存在する場合には定量性が高い点で好都合である。またＦＩＳＨ法は、ＰＣＲ法において試料に含まれる阻害物質の有無によりその計測効率が大きく異なったり或いは特に検出対象菌が試料間で大きく異なったりすることに起因する解像度の低さからその定量性が悪化するといった不都合もない（バイオ実験イラストレイテッド３，本当に増えるＰＣＲ、中山広樹、秀潤社、１９９６）。
【００５２】
ＦＩＳＨプローブの設計においても、特異性が高く、好適に使用できる遺伝子としては、１６Ｓ  ｒＲＮＡ遺伝子が挙げられる。上述した通り、例えばＪＣ３菌の１６Ｓ  ｒＲＮＡ遺伝子の塩基情報を基にして、当該技術分野の常法ないし経験則に従って、ＪＣ３菌に好ましく特異性なオリゴヌクレオチドを選択するか又は設計するとよい。
【００５３】
１６Ｓ  ｒＲＮＡ遺伝子を基にして設計された好適なＦＩＳＨプローブの例は、上述の通り、配列番号１０〜１２のいずれかに記載の塩基配列からなるオリゴヌクレオチドプローブが挙げられる。
【００５４】
ＦＩＳＨ法による具体的な検出・定量の一態様は、次の通りである。ＪＣ３菌に由来するＪＣ３菌に特異的なオリゴヌクレオチドを調製し、このＤＮＡを蛍光色素あるいは放射性同位元素、又はジゴキシゲニン（ＤＩＧ）等の化学発光物質で標識する。その標識プローブを、ＪＣ３菌を検出及び定量したい被検試料と混合し、適切な温度、塩濃度条件下でのハイブリダイゼーション処置を行い、標識プローブと標的核酸とのハイブリッドを形成させる。次いで、ハイブリッドを形成しなかった標識プローブ等を洗い出し、ハイブリッドを形成している標識プローブのみからのシグナルを検出する。ハイブリッド形成プローブの具体的な検出・定量方法としては、標識シグナルを蛍光顕微鏡で検出する方法や、フローサイトメトリーを用いる方法等が挙げられる。このとき、例えば、標識の化学発光等を可視的に捕らえて試料中の標的核酸の分布を見て菌数を計測できるし、定量的に評価可能なシグナルであれば、そのシグナルレベルを比較して標的核酸の量、つまり菌数を定量することができる。
【００５５】
このように上記ＦＩＳＨプローブは、一般的には微生物細胞を含むｉｎ  ｓｉｔｕ試料と混合されるが（ｉｎ  ｓｉｔｕハイブリダイゼーション）、これに限らず、微生物試料から抽出した精製ＤＮＡ試料と混合してもよい（Ｄｏｔ  ｂｌｏｔハイブリダイゼーション）。
【００５６】
本明細書内で言及される「菌数の計測」又は「菌数の測定」とは、試料内のコロニー形成等の生菌数計測によるような直接的な計測に限らず、上述したように試料中の菌数によって変動する核酸量を定量することによる間接的な菌数の推定をも含む概念である。
【００５７】
本明細書内で言及される「環境試料」とは、セルロース分解細菌が生息することによる浄化ないし資化作用が期待される有機物含有試料を意味する。例えば、セルロース分解細菌が関与する浄化作用が期待される高温嫌気条件下のセルロース含有汚泥試料等である。
【００５８】
本明細書においてプローブ又はプライマーに関して使用される「塩基配列が実質的に相同である」或いは「塩基配列が実質的に相補的である」という表現は、当該核酸がプローブ又はＰＣＲプライマー等として機能し得る程度の断片長と相同性を有していることを意味する。
【００５９】
プローブ又はプライマーは、使用目的や条件によっては必ずしも１００％の相同性を有している部位から設計する必要はない。例えば、目的とする領域のプライマーの５’末端付近で数塩基が異なっていても、プローブであれば塩基長、温度、塩濃度等を検討することによって適度にストリンジェントな条件下でハイブリダイズさせることができ、またＰＣＲでは、例えばアニーリング温度等を検討することによって標的領域のＤＮＡを増幅させることが可能である。完全に相同な部位を使用し且つ特異性が高くなる条件を選択すれば、特異性の高い検出・定量が可能となり、特異性の低い条件でよければ数塩基が異なっている配列も許容される。
【００６０】
なお、プローブ又はプライマーとして実質的に相同或いは相補的であるか否かは、例えば、インターネット上に公開されている上記のプローブチェックプログラム（Ｔｈｅ  ＲＤＰ−ＩＩ：Ｒｉｂｏｓｏｍａｌ  Ｄａｔａｂａｓｅ  Ｐｒｏｊｅｃｔ，  Ｍａｉｄａｋ  ＢＬ，  Ｃｏｌｅ  ＪＲ，  Ｌｉｌｂｕｒｎ  ＴＧ，  Ｐａｒｋｅｒ  ＣＴ  Ｊｒ，  Ｓａｘｍａｎ  ＰＲ，  Ｆａｒｒｉｓ  ＲＪ，  Ｇａｒｒｉｔｙ  ＧＭ，  Ｏｌｓｅｎ  ＧＪ，  Ｓｃｈｍｉｄｔ  ＴＭ，  Ｔｉｅｄｊｅ  ＪＭ．，  Ｎｕｃｌｅｉｃ  Ａｃｉｄｓ  Ｒｅｓ  ２００１  Ｊａｎ  １；２９（１）：１７３−４）によって行うことができる。
【００６１】
【実施例】
〔実施例１〕
試料中のＪＣ３菌の存在を特異的に検出するために、配列番号２に記載の塩基配列により表されるＪＣ３菌ｃｂｈＡ遺伝子に特異的なプライマーとして、配列番号３の塩基配列からなるオリゴヌクレオチド（ｃｂｈＡ１４Ｆ）と、配列番号４の塩基配列からなるオリゴヌクレオチド（ｃｂｈＡ１４Ｒ）をＰＣＲプライマー対として設計した。配列番号３の塩基配列からなるオリゴヌクレオチドと、配列番号４の塩基配列からなるＰＣＲプライマー対を使用すると、ＪＣ３菌ｃｂｈＡ遺伝子をコードするＤＮＡが存在する試料からは、配列番号２の塩基配列中の塩基番号７１９〜８７０に相当する１５１塩基の核酸断片が増幅される。
【００６２】
また、同様に配列番号５の塩基配列からなるオリゴヌクレオチド（ｃｂｈＡ６Ｆ）と、配列番号６の塩基配列からなるオリゴヌクレオチド（ｃｂｈＡ１１Ｒ）をＰＣＲプライマー対として設計した。このＰＣＲプライマー対を使用すると、ＪＣ３菌ｃｂｈＡ遺伝子をコードするＤＮＡが存在する試料からは、配列番号２の塩基配列中の塩基番号４６９〜７４４に相当する２７５塩基の核酸断片が増幅される。
【００６３】
上記配列番号３と配列番号４の一組の塩基配列からなるＰＣＲプライマー対を用いて、５種の異なる運転条件のメタン発酵槽より採取した汚泥からＤＮＡを抽出し、抽出したＤＮＡを鋳型としてＰＣＲを行った。ＰＣＲの条件は、９４℃  １０分を１サイクル；９４℃  １分、５５℃  １分及び７２℃  １分を３５サイクル；そして７２℃  １０分を１サイクルとした。
【００６４】
表１に、本実験に供された５種の汚泥について、それらの採取源である発酵槽の各運転条件を示す。
【００６５】
【表１】
2004261125.tif 000002
【００６６】
各試料のＰＣＲによって得られた増幅産物を電気泳動にかけ、増幅産物の有無を確認した。なお、ＪＣ３菌が存在することが確認できる定量限界は、１０５  ｃｅｌｌｓ  ／  ｇＶＳＳである。
【００６７】
図１はＰＣＲ増幅産物についての電気泳動結果を示す。ここでは、寄託菌株ＪＣ３（Ｃｌｏｓｔｒｉｄｉｕｍ  ｓｐ．ＪＣ３）の抽出ＤＮＡを鋳型としてＰＣＲ増幅を行った試料をレーン１に、Ｃｌｏｓｔｒｉｄｉｕｍ  ｔｈｅｒｍｏｃｅｌｌｕｍ標準株（寄託菌株ＪＣ３に最も近縁であるが目的細菌ではない）を含む対照試料をレーン２に置き、メタン発酵槽Ａ〜Ｅの被検試料をそれぞれレーン３〜５で泳動した。
【００６８】
図１の結果から、３種の高温処理槽Ａ〜Ｃから採取した試料（レーン３〜５）については、期待されるサイズの１５１塩基のＤＮＡが多量に増幅され、それらの試料中にＪＣ３菌が存在していることが示された。他方、ＪＣ３菌が存在しない対照試料（レーン２）、及び中温ないし無加温の発酵槽Ｄ〜Ｅ由来の試料（レーン６〜７）に含まれるＪＣ３菌数は定量限界（１０５  ｃｅｌｌｓ  ／  ｇＶＳＳ）以下であり、ＪＣ３菌が存在しないあるいは、その存在量は極めて少ないと示された。
【００６９】
上記配列番号５と配列番号６の一組の塩基配列からなるＰＣＲプライマー対を用いた場合にも同様の結果が得られた。
【００７０】
〔実施例２〕
試料中のＪＣ３菌数の定量のために、実施例１に記載される配列番号３と配列番号４の一組の塩基配列からなるオリゴヌクレオチド対を、競合ＰＣＲ用プライマーとして使用した。
【００７１】
上記ＰＣＲプライマー対を使用して、セルロース負荷の異なる高温（５５℃）メタン発酵汚泥から抽出したＤＮＡを鋳型とし、それぞれ競合ＰＣＲを行い、各試料中のＪＣ３菌数を定量した。
【００７２】
なお、競合ＰＣＲ用のコンペティターの作成には、宝酒造株式会社製のＤＮＡ  Ｃｏｍｐｅｔｉｔｏｒ作成キット（Ｃｏｄｅ  Ｎｏ．ＲＲ０１７）を用い、上記ＰＣＲプライマーを用いた場合に「１９１塩基」のコンペティターＤＮＡが増幅されるように設計した。コンペティター溶液は、１０４  ｃｏｐｉｅｓ／ｒｅａｃｔｉｏｎ  、１０５  ｃｏｐｉｅｓ／  ｒｅａｃｔｉｏｎ、  １０６  ｃｏｐｉｅｓ／  ｒｅａｃｔｉｏｎ、  １０７  ｃｏｐｉｅｓ／  ｒｅａｃｔｉｏｎ、１０８  ｃｏｐｉｅｓ／  ｒｅａｃｔｉｏｎ、１０９  ｃｏｐｉｅｓ／  ｒｅａｃｔｉｏｎでそれぞれ添加した。
【００７３】
上記競合ＰＣＲの条件は、９４℃  １０分を１サイクル；９４℃  １分、５５℃  １分、及び７２℃  １分を３５サイクル；そして７２℃  １０分を１サイクルとした。
図２に各試料についてのＪＣ３菌の定量結果を示す。同図によると、セルロース負荷（セルロース分解活性）０．００７  ｇＣＯＤ／ｇＶＳＳ／ｄから０．６  ｇＣＯＤ／ｇＶＳＳ／ｄまで履歴の異なる複数のメタン発酵汚泥を試料とし、この場合にセルロース負荷を横軸にしてＪＣ３菌濃度を縦軸にプロットすると、各試料の定量値はＪＣ３菌数とセルロース負荷との間に信頼性の高い正の相関を持つことが示された。
【００７４】
本実験の結果から、配列番号３と配列番号４の一組の塩基配列からなるオリゴヌクレオチドプライマー対を用いた競合ＰＣＲによって汚泥等の環境試料中のＪＣ３菌数を定量することができ、それによりＪＣ３菌数を指標としてセルロース分解能を評価できることが示された。
【００７５】
〔実施例３〕
実施例１の発酵槽Ｅ汚泥、発酵槽Ｄ汚泥で示したＪＣ３菌が存在しないか若しくは定量限界（１０５  ｃｅｌｌｓ／ｇＶＳＳ）以下の汚泥では、５５℃嫌気条件下でセルロースの分解能を示すようになるには、１０日から２５日程度の時間を要することが明らかになっている（未発表データ）。そこで、このＪＣ３菌含有量が著しく低く、セルロース分解能を示さなかった発酵槽Ｄ汚泥にＪＣ３菌を高濃度に含む汚泥を１／１００００量、１／１０００量、１／１００量で添加し、無添加の系を対照とし、セルロース投与から２日後のセルロース分解率を測定した。
【００７６】
本試験に用いた培地などの条件を表２に示す。
【００７７】
【表２】
2004261125.tif 000003
【００７８】
図３に、試験開始から２日目のセルロース分解率と試験開始時のＪＣ３菌濃度の測定結果を示す（ｎ＝２）。セルロース分解率は、投与したセルロース量に対する、生成したメタンガス量と溶解性有機物（溶解性ＣＯＤｃｒ；  重クロム酸カリウム法によって分析した化学的酸素要求量）の和である。また、各バイアル内のＪＣ３菌濃度は、実施例２に記載の方法で測定された。
【００７９】
図３で示されるように、試験開始時のＪＣ３菌濃度は、１／１００００量、１／１０００量、１／１００量の添加系、及び無添加（対照）の系で、それぞれ５×１０５  ｃｅｌｌｓ／ｇＶＳＳ、５×１０６  ｃｅｌｌｓ／ｇＶＳＳ、５×１０７  ｃｅｌｌｓ／ｇＶＳＳ、及び定量限界  （１０５  ｃｅｌｌｓ／ｇＶＳＳ）  以下であった。そして、試験２日目のセルロース分解率は、ＪＣ３菌無添加系では１０％程度、ＪＣ３菌濃度５×１０５  ｃｅｌｌｓ／ｇＶＳＳ系では５０％、５×１０６  ｃｅｌｌｓ／ｇＶＳＳでは７５％、５×１０７  ｃｅｌｌｓ／ｇＶＳＳでは９０％であった。この結果から、ＪＣ３菌濃度の増加とともにセルロースの分解率が増加することが確認された。
【００８０】
〔実施例４〕
ＪＣ３菌を特異的に検出するために、配列番号１に記載の塩基配列により表されるＪＣ３菌１６Ｓ  ｒＤＮＡに特異的なＰＣＲプライマー対として、配列番号７の塩基配列からなるオリゴヌクレオチド（ＪＣ３−３）と、配列番号８の塩基配列からなるオリゴヌクレオチド（ＪＣ３−５Ｒ）を設計した。このＰＣＲプライマー対を使用すると、ＪＣ３菌の１６Ｓ  ｒＤＮＡを含む試料からは、配列番号１の塩基配列中の塩基番号２８３〜１１０２に相当する「８１９塩基」の核酸断片が増幅される。
【００８１】
また、配列番号１に記載の塩基配列により表されるＪＣ３菌１６Ｓ  ｒＤＮＡに特異的なＰＣＲプライマー対として、配列番号９の塩基配列からなるオリゴヌクレオチド（ＪＣ３−１．９）と、配列番号８の塩基配列からなるオリゴヌクレオチドを設計した。このＰＣＲプライマー対を使用すると、ＪＣ３菌の１６Ｓ  ｒＤＮＡを含む試料からは、配列番号１の塩基配列中の塩基番号８０〜１１０２に相当する「１０２２塩基」の核酸断片が増幅される。
【００８２】
設計されたプライマーの特異性の評価は、上記プローブチェックプログラム（Ｔｈｅ  ＲＤＰ−ＩＩ）によって行うことができる。その結果、上記オリゴヌクレオチドプライマーは、現在知られている他の細菌の遺伝子配列とは相補的に一致しないことが確認され、ＪＣ３菌の１６Ｓ  ｒＤＮＡに特異的であり得ると評価された。
【００８３】
上記ＰＣＲプライマー対を用い、寄託菌株ＪＣ３の培溶液及びＣｌｏｓｔｒｉｄｉｕｍ  ｔｈｅｒｍｏｃｅｌｌｕｍ  標準株（寄託菌株ＪＣ３に最も近縁であるが目的細菌ではない）の培溶液から抽出した各核酸試料を鋳型としてＰＣＲを行った。ＰＣＲの条件は、９４℃  １０分を１サイクル；９４℃  １分、５６℃  １分、及び７２℃  １分を３５サイクル；そして７２℃  １０分を１サイクルとした。
【００８４】
図４に上記ＰＣＲの結果を示す。ここでは、寄託菌株ＪＣ３（Ｃｌｏｓｔｒｉｄｉｕｍ  ｓｐ．ＪＣ３）菌のＤＮＡを鋳型としたＰＣＲ増幅試料をレーン１、３、５に、Ｃｌｏｓｔｒｉｄｉｕｍ  ｔｈｅｒｍｏｃｅｌｌｕｍ標準株（寄託菌株ＪＣ３に最も近縁であるが目的細菌ではない）を含む対照試料をレーン２、４、６に泳動した。レーン１およびレーン２には配列番号７と配列番号８の一組の塩基配列からなるオリゴヌクレオチド対をＰＣＲプライマーに用いた増幅試料、レーン３およびレーン４には配列番号９と配列番号１０の一組の塩基配列からなるオリゴヌクレオチド対をＰＣＲプライマーに用いた増幅試料、そして、レーン５およびレーン６には真正細菌の１６Ｓ  ｒＤＮＡにおいて相同性の高い領域に設計された既知のプライマーである３４１Ｆプライマー（配列番号１３）及び５３４Ｒプライマー（配列番号１４）をＰＣＲプライマーに用いた各菌体試料のポジティブコントロールをそれぞれ流した。
【００８５】
この結果から、配列番号７と配列番号８の一組の塩基配列からなるオリゴヌクレオチド対をＰＣＲプライマーに用いた場合、目的細菌ではないＣｌｏｓｔｒｉｄｉｕｍ  ｔｈｅｒｍｏｃｅｌｌｕｍ標準株では増幅断片が生じず、寄託菌株ＪＣ３からの抽出ＤＮＡに対してのみ「８１９塩基」のＤＮＡ断片の増幅が生じた。
【００８６】
また、配列番号９及び配列番号８の一組の塩基配列からなるオリゴヌクレオチド対をＰＣＲプライマーに用いた場合、目的細菌ではないＣｌｏｓｔｒｉｄｉｕｍ  ｔｈｅｒｍｏｃｅｌｌｕｍ標準株では増幅断片が生じず、寄託菌株ＪＣ３からの抽出ＤＮＡに対してのみ「１０２２塩基」のＤＮＡ断片の増幅が生じた。
【００８７】
すなわち、配列番号５と配列番号６の一組の塩基配列、配列番号７と配列番号８の一組の塩基配列、又は配列番号９と配列番号８の一組の塩基配列からなる各オリゴヌクレオチドプライマー対を用いたＰＣＲによる増幅によって、ＪＣ３菌を特異的に検出することができた。
【００８８】
〔実施例５〕
ＦＩＳＨ法によるＪＣ３菌の特異的検出のため、配列番号１の塩基配列により表されるＪＣ３菌１６Ｓ  ｒＤＮＡ（ｒＲＮＡ）遺伝子に特異的なＦＩＳＨプローブとして、配列番号１０、１１、１２の各々の塩基配列からなるオリゴヌクレオチドプローブ（それぞれＪＣ３−５５８，  ＪＣ３−９９５，  ＴＣＢ−２１０）を設計した。これらＦＩＳＨプローブは、配列番号１の塩基配列中の塩基番号６７０〜６８７、１０７８〜１０９７、３１０〜３３１とそれぞれ相補的なポリヌクレオチド断片である。
【００８９】
設計したプローブの特異性の評価は、上記プローブチェックプログラムによって行うことができる。その結果、上記のＦＩＳＨプローブは、現在知られている他の細菌の遺伝子配列とは相補的に一致しないことが確認された。
【００９０】
配列番号１０のポリヌクレオチド断片の５’端に蛍光色素（Ｃｙ３）を付加したＦＩＳＨプローブを、予めパラホルムアルデヒドで細胞固定を行い、エタノールシリーズで脱水を施したセルロース集積高温メタン発酵汚泥と下記ハイブリダイゼーション条件下で接触させハイブリダイゼーションを行った。そのハイブリダイゼーション条件は、４６°Ｃで３時間；  Ｗａｓｈｉｎｇを４８°Ｃで２０ｍｉｎとし；ハイブリダイゼーションバッファーを０．９Ｍ  ＮａＣｌ、２０ｍＭ  Ｔｒｉｓ−ＨＣｌ  （ｐＨ７．２）及び０．０１％ＳＤＳとし；ホルムアミド濃度を５  ％（ｖ／ｖ）とした。
【００９１】
その後、上記ＦＩＳＨプローブとハイブリダイズを行った試料の全菌数を計測するため、ＤＡＰＩ（４’，６−Ｄｉａｍｉｄｉｎｏ−２−ｐｈｅｎｙｌｉｎｄｏｌｅ，  ｄｉｈｙｄｒｏｃｈｌｏｒｉｄｅ）による核酸染色を施し、蛍光顕微鏡観察により、ＪＣ３菌細胞および全細菌細胞をそれぞれ特異的な励起波長（ＤＡＰＩ：ＵＶ励起、Ｃｙ３：Ｇ励起）で検出した。その結果を図５に示す。本実験の結果から、ＪＣ３菌の細胞のみにＦＩＳＨプローブが結合し、蛍光顕微鏡観察下で特異的に検出され、ＪＣ３菌の細胞数の特異的計測が可能であると分かった。また配列番号１１又は配列番号１２の各塩基配列からなるＦＩＳＨプローブを用いた場合も、同様の結果が得られた。
【００９２】
〔実施例６〕
本発明により開発されたＦＩＳＨプローブの、メタン生成微生物群の菌叢構造解析への適用性また試料のセルロース分解能評価への可能性を確認するために、２種の異なるセルロース負荷条件下で運転されているメタン発酵槽から採取した汚泥（メタン発酵汚泥１、メタン発酵汚泥２）について、配列番号１０のＦＩＳＨプローブを用いたｉｎ  ｓｉｔｕハイブリダイゼーションにより、ＪＣ３菌の細菌数計測を行った。ハイブリダイゼーションは、実施例５と同様の条件で行った。なお、ＪＣ３菌の計測に用いたメタン発酵汚泥は、それぞれ０．６  ｇＣＯＤ・ｇＶＳＳ−１・ｄ−１、１．４  ｇＣＯＤ・ｇＶＳＳ−１・ｄ−１のセルロース分解活性を有しており、反応槽内の菌体濃度は、約３  ｇＶＳＳ・ｌ−１でほぼ一定であった。
【００９３】
図６には、各メタン発酵汚泥中のＪＣ３菌の計測結果を示した。その結果、セルロース分解活性の低いメタン発酵汚泥１におけるＪＣ３菌の割合は、全菌数の９．４  ％であったのに対し、セルロース分解活性の高いメタン発酵汚泥２におけるＪＣ３菌の割合は、全菌数の２１．６  ％と２倍以上に達しており、汚泥のセルロース分解能を反映する結果となった。
【００９４】
以上の結果から、本発明により、セルロース分解菌ＪＣ３菌の細胞の特異的な検出、細胞数計測が可能になり、メタン生成微生物群の菌叢構造解析、汚泥試料のセルロース分解能の評価への有効性が示された。
【００９５】
【配列表】
2004261125.tif 000004
2004261125.tif 000005
2004261125.tif 000006
2004261125.tif 000007
2004261125.tif 000008
2004261125.tif 000009
2004261125.tif 000010
【図面の簡単な説明】
【図１】実施例１においてｃｂｈＡ遺伝子を標的とするＰＣＲ増幅産物についての電気泳動結果を示す図である。
【図２】実施例２においてｃｂｈＡ遺伝子を標的とするＰＣＲ増幅産物について定量されたＪＣ３菌数と、セルロース負荷との相関を示す図である。
【図３】実施例３においてＪＣ３菌添加３系列とコントロール系列のセルロース分解試験におけるセルロース分解率とＪＣ３菌濃度の測定結果を示す図である。
【図４】実施例４において１６Ｓ  ｒＲＮＡ遺伝子を標的とするＰＣＲ増幅産物についての電気泳動結果を示す図である。
【図５】実施例５においてＦＩＳＨプローブをハイブリダイズさせた培養試料について得られた蛍光顕微鏡写真を示す図である。
【図６】プローブＪＣ３−５８８を用いたｉｎ  ｓｉｔｕハイブリダイゼーションにより、メタン発酵汚泥の全菌数に対するＪＣ３菌の存在率の定量を行った結果を示す図である。
【図１】
2004261125.tif 000011
【図２】
2004261125.tif 000012
【図３】
2004261125.tif 000013
【図４】
2004261125.tif 000014
【図５】
2004261125.tif 000015
【図６】
2004261125.tif 000016